(57)【要約】  第１の色（Ｃ１）から、第１の色（Ｃ１）とは異なる第２の色（Ｃ２）への漸進的な移行を少なくとも部分的に示すレインボー機能（１５；１５＊；１５＊＊）を具える印刷セキュリティ要素（１０；１０＊；１０＊＊）であって、レインボー機能（１５；１５＊；１５＊＊）は、印刷セキュリティ要素（１０；１０＊；１０＊＊）の色勾配領域（Ａ）にわたって広がり、そこでは第１および第２の印刷パターン（Ｐ１、Ｐ２）が部分的に重ね合わせられ、または並置され、第１および第２の印刷パターン（Ｐ１、Ｐ２）のそれぞれが、直線または曲線要素（２０、３０；２０＊、３０＊）の第１および第２のセットを含み、第１および第２の印刷パターン（Ｐ１、Ｐ２）は、直線または曲線要素（２０、３０；２０＊、３０＊）の第１および第２セットが色勾配領域（Ａ）において部分的に重ね合わせらされ、または並置され、それによってレインボー機能（１５、１５＊、１５＊＊）を生成するように、２つの別々の印刷版（ＰＰ１、ＰＰ２）によって互いに見当を合わせて印刷され、第１の印刷パターン（Ｐ１）が第１の色（Ｃ１）を示し、第１の印刷版（ＰＰ１）によって印刷され、第２の印刷パターン（Ｐ２）が第２の色（Ｃ２）を示し、第２の印刷版（ＰＰ２）によって印刷され、少なくとも第１または第２の印刷パターン（Ｐ１；Ｐ２）が、他方の印刷パターン（Ｐ２；Ｐ１）と重ね合わせられる、または並置されるときに、第１の色（Ｃ１）から第２の色（Ｃ２）への漸進的な移行を生じさせるように、色勾配領域（Ａ）において線幅または線構造の変調を示し、色勾配領域（Ａ）において、第２の印刷パターン（Ｐ２）が第１の印刷パターン（Ｐ１）の上部に印刷され、第２の色（Ｃ２）が第１の色（Ｃ１）よりも濃いことを特徴とする印刷セキュリティ要素について記載する。また、上記の印刷セキュリティ要素を製造する方法についても記載する。  【選択図】図１
2021503387.tif 000002
【特許請求の範囲】
【請求項１】
第１の色（Ｃ１）から、前記第１の色（Ｃ１）とは異なる第２の色（Ｃ２）への漸進的な移行を少なくとも部分的に示すレインボー機能（１５；１５＊；１５＊＊）を具える印刷セキュリティ要素（１０；１０＊；１０＊＊）であって、前記レインボー機能（１５；１５＊；１５＊＊）は、前記印刷セキュリティ要素（１０；１０＊；１０＊＊）の色勾配領域（Ａ）にわたって広がり、そこでは第１および第２の印刷パターン（Ｐ１、Ｐ２）が部分的に重ね合わせられ、または並置され、前記第１および第２の印刷パターン（Ｐ１、Ｐ２）のそれぞれが、直線または曲線要素（２０、３０；２０＊、３０＊）の第１および第２のセットを含み、前記第１および第２の印刷パターン（Ｐ１、Ｐ２）は、前記直線または曲線要素（２０、３０；２０＊、３０＊）の第１および第２セットが前記色勾配領域（Ａ）において部分的に重ね合わせられ、または並置され、それによって前記レインボー機能（１５、１５＊、１５＊＊）を生成するように、２つの別々の印刷版（ＰＰ１、ＰＰ２）によって互いに見当を合わせて印刷され、前記第１の印刷パターン（Ｐ１）が前記第１の色（Ｃ１）を示し、第１の印刷版（ＰＰ１）によって印刷され、前記第２の印刷パターン（Ｐ２）が前記第２の色（Ｃ２）を示し、第２の印刷版（ＰＰ２）によって印刷され、少なくとも前記第１または第２の印刷パターン（Ｐ１；Ｐ２）が、他方の印刷パターン（Ｐ２；Ｐ１）と重ね合わせられる、または並置されるときに、前記第１の色（Ｃ１）から前記第２の色（Ｃ２）への漸進的な移行を生じさせるように、前記色勾配領域（Ａ）において線幅または線構造の変調を示し、前記色勾配領域（Ａ）において、前記第２の印刷パターン（Ｐ２）が前記第１の印刷パターン（Ｐ１）の上部に印刷され、前記第２の色（Ｃ２）が前記第１の色（Ｃ１）よりも濃いことを特徴とする印刷セキュリティ要素。
【請求項２】
請求項１に記載の印刷セキュリティ要素（１０；１０＊；１０＊＊）において、前記線幅または線構造の変調は、前記第１の色（Ｃ１）から前記第２の色（Ｃ２）への漸進的な移行が少なくとも２つの異なる方向に沿って存在するようなものであることを特徴とする印刷セキュリティ要素。
【請求項３】
請求項１または２に記載の印刷セキュリティ要素（１０＊＊）において、前記第１および第２の印刷パターン（Ｐ１、Ｐ２）は、前記第１の色（Ｃ１）から前記第２の色（Ｃ２）への急峻かつ非漸進的な移行（Ｔ）を前記レインボー機能（１５＊＊）の横に生成するように構成されることを特徴とする印刷セキュリティ要素。
【請求項４】
請求項１乃至３の何れか一項に記載の印刷セキュリティ要素（１０；１０＊＊）において、前記第１および第２の印刷パターン（Ｐ１、Ｐ２）の両方が、前記色勾配領域（Ａ）において前記線幅または線構造の変調を示すことを特徴とする印刷セキュリティ要素。
【請求項５】
請求項１乃至４の何れか一項に記載の印刷セキュリティ要素（１０；１０＊；１０＊＊）において、直線または曲線要素の第１および第２のセット（２０、３０；２０＊、３０＊）は、１００μｍを超えない線幅を有する線形または曲線要素であることを特徴とする印刷セキュリティ要素。
【請求項６】
請求項１乃至５の何れか一項に記載の印刷セキュリティ要素（１０；１０＊；１０＊＊）において、前記線幅または線構造の変調振幅は、１００μｍを超えないことを特徴とする印刷セキュリティ要素。
【請求項７】
第１の色（Ｃ１）から、前記第１の色（Ｃ１）とは異なる第２の色（Ｃ２）への漸進的な移行を少なくとも部分的に示すレインボー機能（１５；１５＊；１５＊＊）を具える印刷セキュリティ要素（１０；１０＊；１０＊＊）を製造する方法であって、
−前記第１の色（Ｃ１）でインキ付けされる第１の印刷パターンを形成する、直線または曲線要素の第１のセットを有する第１の印刷版（ＰＰ１）を提供するステップと、
−前記第２の色（Ｃ２）でインキ付けされる第２の印刷パターンを形成する、直線または曲線要素の第２のセットを有する第２の印刷版（ＰＰ２）を提供するステップであって、第２の印刷パターンは、前記第１の印刷版（ＰＰ１）の第１の印刷パターンと見当を合わせて印刷できるように前記第２の印刷版（ＰＰ２）上に提供される、ステップと、
−前記第１の印刷版（ＰＰ１）を前記第１の色（Ｃ１）で、前記第２の印刷版（ＰＰ２）を前記第２の色（Ｃ２）でインキ付けするステップと、
−前記第１および第２の印刷パターンにそれぞれ対応する第１および第２の印刷パターン（Ｐ１、Ｐ２）を基板に製造するために、前記第１および第２の印刷版（ＰＰ１、ＰＰ２）によって前記基板を印刷するステップであって、直線または曲線要素（２０、３０；２０＊、３０＊）の第１および第２のセットが前記印刷セキュリティ要素（１０、１０＊、１０＊＊）の色勾配領域（Ａ）において部分的に重ね合わせられ、または並置され、それによって前記レインボー機能（１５、１５＊、１５＊＊）を生成するように、前記第１および第２の印刷パターン（Ｐ１、Ｐ２）が見当を合わせて印刷される、ステップとを具え、
−少なくとも前記第１または第２の印刷パターン（Ｐ１；Ｐ２）が、他方の印刷パターン（Ｐ２；Ｐ１）と重ね合わせられる、または並置されるときに、前記第１の色（Ｃ１）から前記第２の色（Ｃ２）への漸進的な移行を生じさせるように、前記色勾配領域（Ａ）において線幅または線構造の変調を示し、前記色勾配領域（Ａ）において、前記第２の印刷パターン（Ｐ２）が前記第１の印刷パターン（Ｐ１）の上部に印刷され、前記第２の色（Ｃ２）が前記第１の色（Ｃ１）よりも濃いことを特徴とする方法。
【請求項８】
請求項７に記載の方法において、前記線幅または線構造の変調は、前記第１の色（Ｃ１）から前記第２の色（Ｃ２）への漸進的な移行が少なくとも２つの異なる方向に沿って存在するようなものであることを特徴とする方法。
【請求項９】
請求項７または８に記載の方法において、前記第１および第２の印刷パターンならびに結果として生じる第１および第２の印刷パターン（Ｐ１、Ｐ２）は、前記第１の色（Ｃ１）から前記第２の色（Ｃ２）への急峻かつ非漸進的な移行（Ｔ）を前記レインボー機能（１５＊＊）の横に生成するように構成されることを特徴とする方法。
【請求項１０】
請求項７乃至９の何れか一項に記載の方法において、前記第１および第２の印刷パターンならびに結果として生じる第１および第２の印刷パターン（Ｐ１、Ｐ２）の両方が、前記色勾配領域（Ａ）において前記線幅または線構造の変調を示すことを特徴とする方法。
【請求項１１】
請求項７乃至１０の何れか一項に記載の方法において、直線または曲線要素の第１および第２のセット（２０、３０；２０＊、３０＊）は、１００μｍを超えない線幅を有する線形または曲線要素であることを特徴とする方法。
【請求項１２】
請求項７乃至１１の何れか一項に記載の方法において、前記線幅または線構造の変調振幅は、１００μｍを超えないことを特徴とする方法。
【請求項１３】
請求項７乃至１２の何れか一項に記載の方法において、前記第１および第２の印刷版（ＰＰ１、ＰＰ２）による前記基板の印刷は、２つの版胴（１１５、１２５）から前記第１および第２の印刷パターンを受け取り、収集する、少なくとも１つのブランケット胴（１１０、１２０）を有するオフセット印刷群（１０１）によって実行され、それらの版胴は同一のブランケット胴（１１０、１２０）の円周の一部分の周囲に分配されることを特徴とする方法。
【発明の詳細な説明】
【技術分野】
【０００１】
本発明は、第１の色から、第１の色とは異なる第２の色への漸進的な移行を少なくとも部分的に示すレインボー機能を具える印刷セキュリティ要素に関する。本発明は、そのような印刷セキュリティ要素の製造方法にも関する。
【背景技術】
【０００２】
レインボー印刷（または「虹彩印刷」）は、それ自体が当技術分野において周知である。
【０００３】
例えば、欧州公開特許１７９２７４３Ａ１号において、多色インキにより、版胴の組立てられた印刷版の複数領域にインキを付けて、初期インキ領域間に色彩介在領域を形成するステップを具える、直接的または間接的オルロフ（Ｏｒｌｏｖ）印刷を実行する方法が開示されている。
【０００４】
一次元レインボー印刷は、異なる色彩の２つのインキが印刷される基板の経路に交差して、単一の軸方向に沿って混合されるものあって、セキュリティ印刷の技術分野において、特に紙幣および他のセキュリティ文書の生産に一般的に使用される。一次元レインボー印刷に適した印刷機器は、国際（ＰＣＴ）公開公報ＷＯ２０１４／０５６７１１Ａ１号の例より周知である。そのような装置は通常、（例えば、ＷＯ２０１４／０５６７１１Ａ１号の図２に示すように）第１および第２のインキを共通のインキトレーンに供給する２つのインキユニットによりインキが付けられた少なくとも１つの印刷版を含み、共通のインキトレーンにおいて２つのインキが軸方向に沿って混合される。その目的を達成するために、いわゆるバイブレータローラは、関連するインキ溜めと、２つのインキが混合される共通のインキローラ（または「分配ローラ」）との間に挿入され、（例えば、ＷＯ２０１４／０５６７１１Ａ１号の図３に示すように）関連するバイブレータローラは、インキが転写される適切な位置で軸方向に沿って切断される。軸方向に沿ったインキの混合は、分配ローラを軸方向に沿って振動させることにより達成され、それにより、軸方向に沿って一方のインキ色から他方のインキ色に漸進的に移行する。
【０００５】
一次元レインボー印刷を実行するのに適した印刷装置の他の例は、国際（ＰＣＴ）公開公報ＷＯ２００７／０４２９１９Ａ２号、ＷＯ２００７／１０５０５９Ａ１号、ＷＯ２００７／１０５０６１Ａ１号、ＷＯ２０１２／０４９６１０Ａ１号、ＷＯ２０１３／００１５１８Ａ１号、ＷＯ２０１３／００１００９Ａ１号、ＷＯ２０１３／００１０１０Ａ２号、およびＷＯ２０１６／０４２４８２Ａ２号より周知である。
【０００６】
二次元レインボー印刷（または２Ｄ虹彩印刷）も、特に国際（ＰＣＴ）公開公報ＷＯ２００８／０９９３３０Ａ２号より、それ自体が当技術分野において周知である。ＷＯ２００８／０９９３３０Ａ２号に係る二次元レインボー印刷は、インキを軸方向だけでなく、円周方向に沿って分配することが可能な専用のインキシステムを使用する必要がある。この専用インキシステムはかなり複雑で、さらに、（例えば、ＷＯ２００８／０９９３３０Ａ２号の図８および９を参照して述べるように）この手法で印刷可能な個々のドキュメントの関連する寸法（特にその高さ）に関する制限に悩まされる。
【０００７】
二次元レインボー印刷も、例えば、欧州特許公開第ＥＰ１０５３８８７Ａ２号、ロシア特許第ＲＵ２１４３３４４Ｃ１号およびＲＵ２１４３３４２Ｃ１号、および日本特許出願ＪＰＨ０２−２８３４８６Ａ号に開示されるような印刷装置により達成可能である。
【０００８】
上記例の全てにおいて、少なくとも２つの異なる色のインキが、１つまたはそれ以上の方向に沿って分配され、基板に印刷される印刷パターン全体を担持する同一の印刷版に転写される。２つ（またはそれ以上）のインク色間で絶対的な位置合わせを保証するものの、上述のような特定の印刷装置を必要とし、そのような印刷装置は、特定の種類の印刷セキュリティ要素でしか達成できず、固有の設計上の制限が生じる。
【０００９】
従って、上記の制限なく達成可能なレインボー機能を具えるタイプの印刷セキュリティ要素とともに、上記の印刷装置と異なる方法で、より高い柔軟性を有して実行可能な、印刷セキュリティ要素の製造方法が必要である。
【発明の概要】
【００１０】
従って、本発明の一般的な目的は、レインボー機能を具える型式の周知の印刷セキュリティ要素と、その製造方法を改良することである。
【００１１】
これらの目的は、特許請求の範囲で定義される印刷セキュリティ要素とその製造方法により達成される。
【００１２】
したがって、第１の色から、第１の色とは異なる第２の色への漸進的な移行を少なくとも部分的に示すレインボー機能を具える印刷セキュリティ要素であって、レインボー機能は、印刷セキュリティ要素の色勾配領域にわたって広がり、そこでは第１および第２の印刷パターンが部分的に重ね合わせられ、または並置され、第１および第２の印刷パターンのそれぞれが、直線または曲線要素の第１および第２のセットを含む印刷セキュリティ要素が提供される。第１および第２の印刷パターンは、直線または曲線要素の第１および第２セットが色勾配領域において部分的に重ね合わせられ、または並置され、それによってレインボー機能を生成するように、２つの別々の印刷版によって互いに見当を合わせて印刷され、第１の印刷パターンが第１の色を示し、第１の印刷版によって印刷され、第２の印刷パターンが第２の色を示し、第２の印刷版によって印刷される。さらに、少なくとも前記第１または第２の印刷パターンが、他方の印刷パターンと重ね合わせられる、または並置されるときに、前記第１の色から前記第２の色への漸進的な移行を生じさせるように、前記色勾配領域において線幅または線構造の変調を示す。
【００１３】
また、第１の色から、第１の色とは異なる第２の色への漸進的な移行を少なくとも部分的に示すレインボー機能を具える印刷セキュリティ要素を製造する方法であって、
−第１の色でインキ付けされる第１の印刷パターンを形成する、直線または曲線要素の第１のセットを有する第１の印刷版を提供するステップと、
−第２の色でインキ付けされる第２の印刷パターンを形成する、直線または曲線要素の第２のセットを有する第２の印刷版を提供するステップであって、第２の印刷パターンは、第１の印刷版の第１の印刷パターンと見当を合わせて印刷できるように第２の印刷版上に提供される、ステップと、
−第１の印刷版を第１の色で、第２の印刷版を第２の色でインキ付けするステップと、
−第１および第２の印刷パターンにそれぞれ対応する第１および第２の印刷パターンを基板に製造するために、第１および第２の印刷版によって基板を印刷するステップであって、直線または曲線要素の第１および第２のセットが印刷セキュリティ要素の色勾配領域において部分的に重ね合わせられ、または並置され、それによってレインボー機能を生成するように、第１および第２の印刷パターンが見当を合わせて印刷される、ステップとを具える。
【００１４】
さらに、この方法に従って、少なくとも第１または第２の印刷パターンが、他方の印刷パターンと重ね合わせられる、または並置されるときに、第１の色から第２の色への漸進的な移行を生じさせるように、色勾配領域において線幅または線構造の変調を示す。
【００１５】
本発明の一態様によれば、線幅または線構造の変調は、好ましくは、第１の色から第２の色への漸進的な移行が少なくとも２つの異なる方向に沿って存在するようなものである。
【００１６】
本発明のさらなる態様によれば、第１および第２の印刷パターンは、第１の色から第２の色への急峻かつ非漸進的な移行をレインボー機能の横に生成するように有利に構成することができる。
【００１７】
有利には、第１および第２の印刷パターンの両方が、色勾配領域において線幅または線構造の変調を示すことができる。
【００１８】
色勾配領域において、第２の印刷パターンが第１の印刷パターンの上部に印刷され、第２の色は第１の色よりも濃い。
【００１９】
さらに、直線または曲線要素の第１および第２のセットは、有利には、１００μｍを超えない線幅を有する線形または曲線要素である。
【００２０】
同様に、前記線幅または線構造の変調振幅は、好ましくは１００μｍを超えない。
【００２１】
本発明のさらなる有利な実施形態を以下に説明する。
【図面の簡単な説明】
【００２２】
本発明の他の特徴および有利な点は、非限定的な例のみによって提示され、添付の図面により示される、以下の本発明の実施形態の詳細な説明を読むことでより明確に明らかになるだろう。
【図１】図１は、本発明の第１の実施形態に係るレインボー機能を具える印刷セキュリティ要素を示し、レインボー機能は、第１の色から、第１の色とは異なる第２の色へと全ての方向において漸進的な移行を示す。
【図１Ａ】図１Ａは、図１の印刷セキュリティ要素のレインボー機能の一部の拡大図で、第１および第２の印刷パターンの重ね合わせを示す。
【図１Ｂ】図１Ｂは、図１Ａで示した同一部分の拡大図で、第１の印刷パターンのみを示す。
【図１Ｃ】図１Ｃは、図１Ａで示した同一部分の拡大図で、第２の印刷パターンのみを示す。
【図２】図２は、本発明の第２の実施形態に係るレインボー機能を具える印刷セキュリティ要素を示し、レインボー機能は同様に、第１の色から、第１の色とは異なる第２の色へと全ての方向において漸進的な移行を示す。
【図２Ａ】図２Ａは、図２の印刷セキュリティ要素のレインボー機能の一部の拡大図で、第１および第２の印刷パターンの重ね合わせを示す。
【図２Ｂ】図２Ｂは、図２Ａで示した同一部分の拡大図で、第１の印刷パターンのみを示す。
【図２Ｃ】図２Ｃは、図２Ａで示した同一部分の拡大図で、第２の印刷パターンのみを示す。
【図３】図３は、本発明の第３の実施形態に係るレインボー機能を具える印刷セキュリティ要素を示し、レインボー機能は、第１の色から、第１の色とは異なる第２の色への急峻かつ非漸進的な移行の横に、第１の色から第２の色へと一部の方向において漸進的な移行を示す。
【図４】図４は、本発明の印刷セキュリティ要素の製造に適した印刷機の概略部分図である。
【発明を実施するための形態】
【００２３】
印刷セキュリティ要素の様々な実施形態に関連して本発明を説明する。
【００２４】
図１は、本発明に係る印刷セキュリティ要素の第１の実施形態を示し、印刷セキュリティ要素は全体において参照符号１０により示される。説明のため、印刷セキュリティ要素１０は、２つの部分的に重ね合わせられた印刷パターンＰ１、Ｐ２からなり、これらはそれぞれ所定の色Ｃ１、Ｃ２で印刷され、例えば、赤（Ｃ１）および黄色（Ｃ２）といったように区別可能である。
【００２５】
印刷セキュリティ要素１０は、第１の色Ｃ１から第２の色Ｃ２への漸進的な移行を示すレインボー機能１５を具える。図示した例において、色Ｃ１から色Ｃ２への漸進的な移行は全ての方向に見られ、漸進的な移行は、楕円形状の領域（または「色勾配領域」）にわたって広がり、その領域は、示された楕円形の主軸と一致する４つの矢印Ａによりほぼ特定される。
【００２６】
図１Ａは、図１の印刷セキュリティ要素１０のレインボー機能１５の一部分の拡大図であり、第１および第２の印刷パターンＰ１およびＰ２の重ね合わせが部分的に見られる。図１Ａにおいて、第１の色Ｃ１から第２の色Ｃ２への漸進的な移行は、矢印Ａにより概略的に特定されるように、下から上に見られる。
【００２７】
図示した例において、レインボー機能１５は、第１および第２の印刷パターンＰ１、Ｐ２を重ね合わせた結果、つまり、部分的に重複するように位置合わせされた両方のパターンを互いに印刷することにより得られることを理解されたい。各印刷パターンＰ１、Ｐ２は、それぞれ直線または曲線要素２０、３０の第１および第２のセットを具え、直線または曲線要素２０、３０は基本的に任意の所望の形状を示すことができる。好ましくは、これらの直線または曲線要素２０、３０は、１００μｍを超えない線幅を有する。
【００２８】
図１Ｂは、図１Ａで示した同一部分の拡大図で、第１の色Ｃ１における第１の印刷パターンのＰ１のみを示す。第１の印刷パターンＰ１を構成する直線または曲線要素２０の第１のセットは線幅の変調を示し、図１Ｂの下部において、図１Ｂの上部と比べて太い線幅が見られることに留意されたい。図１Ｃは、図１Ａで示した同一部分の拡大図で、第２の色Ｃ２における第２の印刷パターンＰ２のみを示す。第２の印刷パターンＰ２を構成する直線または曲線要素３０の第２のセットも同様に、線幅の変調を示すが、図１Ｃの上部において、図１Ｃの下部に比べて太い線幅が見られる。言い換えると、第１の実施形態において、第１および第２の印刷パターンＰ１、Ｐ２の両方がそれぞれ、関連する色勾配領域Ａにおいて線幅の変調を示す。したがって、一方を他方に重ね合わせると、図１Ａに示すように、第１の色Ｃ１から第２の色Ｃ２への漸進的な移行が生じる。好ましくは、要素２０、３０の線幅の変調振幅は１００μｍを超えない。
【００２９】
第１の実施形態は、第１および第２の印刷パターンＰ１、Ｐ２の両方が線幅の変調を示すことを示す一方で、第１および第２の印刷パターンＰ１、Ｐ２の一方のみがそのような変調を示す場合もある。さらに、第１の色Ｃ１から第２の色Ｃ２への漸進的な移行は、単に線幅ではなく線構造を変調することにより達成することができる。
【００３０】
図２は、本発明に係る印刷セキュリティ要素の第２の実施形態を示し、この印刷セキュリティ要素は、他の実施形態において通常、参照番号１０＊により示される。説明のために、印刷セキュリティ要素１０＊は、２つの部分的に重ね合わせられた印刷パターンＰ１、Ｐ２からなり、これらは互いに区別可能な所定の色Ｃ１、Ｃ２にそれぞれ印刷される。例として、これらの色も同様に、赤（Ｃ１）および黄色（Ｃ２）とすることができる。
【００３１】
印刷セキュリティ要素１０＊は、図１に示した印刷セキュリティ要素１０とほぼ同様に、第１の色Ｃ１から第２の色Ｃ２への漸進的な移行を示すレインボー機能１５＊を含む。図示した例において、色Ｃ１から色Ｃ２への漸進的な移行は全ての方向において再び見られ、楕円形状の色勾配領域Ａにわたって広がる。
【００３２】
図２Ａは、図２の印刷セキュリティ要素１０＊のレインボー特徴１５＊の一部分の拡大図で、第１および第２の印刷パターンＰ１およびＰ２の重ね合わせが部分的に見られる。図２Ａにおいて、第１の色Ｃ１から第２の色Ｃ２への漸進的な移行も同様に、矢印Ａで概略的に示すように、下から上に見られる。
【００３３】
図示した例において、レインボー機能１５＊は、第１および第２の印刷パターンＰ１、Ｐ２を重ね合わせた結果として、つまり部分的に重複するように、両方のパターンを互いに見当を合わせて印刷することにより再び得られることを理解されたい。各印刷パターンＰ１、Ｐ２は、それぞれ直線または曲線要素２０＊、３０＊の第１および第２のセットを具え、直線または曲線要素２０＊、３０＊は基本的に第１の実施形態と同じ形状を有する。要素２０＊、３０＊は任意の所望の形状を示すことができる。
【００３４】
図２Ｂは、図２Ａに示したものと同一部分の拡大図であり、第１の色Ｃ１における第１の印刷パターンＰ１のみを示す。第１の印刷パターンＰ１からなる直線または曲線要素２０＊の第１のセットは、第１の実施形態にあるような線幅ではなく、線構造の変調を示すことに留意されたい。第１の実施形態とは対照的に、図２Ｂでは線幅が下から上に向かって細くなることはないが、図２Ｂでは上に移動するにつれて線構造の密度がより小さくなる。これは基本的に図１Ｂと同じ目的を異なる方法で達成する。図２Ｃは、図２Ａに示したものと同一部分の拡大図であり、第２の色Ｃ２の第２の印刷パターンＰ２のみを示す。第１の実施形態とは対照的に、第２の印刷パターンＰ２からなる直線または曲線要素３０＊の第２のセットは、線幅または線構造の如何なる変調も示さない。言い換えると、第２の実施形態において、第１の印刷パターンＰ１のみが、関連する色勾配領域Ａにおいて線構造の変調を示す。一方を他方に重ね合わせると、図２Ａに示すように、第１の色Ｃ１から第２の色Ｃ２への段階的な遷移も生じる。
【００３５】
直線または曲線要素２０＊、３０＊も同様に、１００μｍを超えない線幅を有することが好ましい。同様に、要素２０＊の線構造の変調振幅は１００μｍを超えない。
【００３６】
図３は、本発明に係る印刷セキュリティ要素の第３の実施形態を示し、印刷セキュリティ要素は、この異なる実施形態において通常、参照番号１０＊＊により示される。説明のために、印刷セキュリティ要素１０＊＊は再び２つの部分的に重ね合わせられた印刷パターンＰ１、Ｐ２からなり、これらは所定の色Ｃ１（赤など）、Ｃ２（黄色など）にそれぞれ印刷され、これらの２つの色Ｃ１、Ｃ２は互いに区別可能である。
【００３７】
印刷セキュリティ要素１０＊＊は、図１および図２に示した印刷セキュリティ要素１０および１０＊とほぼ同様に、第１の色Ｃ１から第２の色Ｃ２への漸進的な遷移を示すレインボー機能１５＊＊を含む。図示した例において、色Ｃ１から色Ｃ２への漸進的な移行は再び、全ての方向において見られるが、図１および２に示した色勾配領域Ａと形状が異なる色勾配領域Ａにわたって広がる。より正確には、漸進的な移行は、図３に示す第１の印刷パターンＰ１の左側のみに見られる。先の実施形態とは対照的に、第１および第２印刷パターンＰ１、Ｐ２は、第１の色Ｃ１から第２の色Ｃ２への急峻かつ非漸進的な移行Ｔをレインボー機能１５＊＊の横に生成するように構成され、その移行Ｔは図３に示した第１の印刷パターンＰ１の右側に見られる。
【００３８】
具体的に図示していないが、レインボー機能１５＊＊は、直線または曲線要素の第１、第２のセットをそれぞれ含む、第１および第２の印刷パターンＰ１、Ｐ２を部分的に重ね合わせることによって得られることを理解されたい。第１および第２の印刷パターンＰ１、Ｐ２の一方または両方は、互いに重ね合わせたときに、第１の色Ｃ１から第２の色Ｃ２への漸進的な移行を生じさせるように、色勾配領域Ａにおいて（第１の実施形態にあるような）線幅、または（第２の実施形態にあるような）線構造の変調を示すことができる。
【００３９】
上述の実施形態はすべて、第１および第２の印刷パターンＰ１、Ｐ２を部分的に重ね合わせたことに基づいているが、色勾配領域Ａにおいて第１および第２の印刷パターンＰ１、Ｐ２を部分的に並置することにより同様の結果を達成できることを理解されたい。
【００４０】
上記の実施形態のすべてに適用される本発明によれば、第１および第２の印刷パターンＰ１、Ｐ２は、直線または曲線要素の第１および第２セットが色勾配領域Ａにおいて部分的に重ね合わせられ（或いは並置され）、それによってレインボー機能を生成するように、２つの別々の印刷版によって互いに見当を合わせて印刷され、第１の印刷パターンＰ２が第１の色Ｃ１を示し、第１の印刷版によって印刷され、第２の印刷パターンＰ２が第２の色Ｃ２を示し、第２の印刷版によって印刷される。
【００４１】
その点で、本発明は、第１の色Ｃ１から、第２の色Ｃ２への漸進的な移行を少なくとも部分的に示すレインボー機能を具える印刷セキュリティ要素（図１、２、３、の印刷セキュリティ機能１０；１０＊；１０＊＊等）を製造する方法にも関連する。この方法は、
−第１の色Ｃ１でインキ付けされる第１の印刷パターンを形成する、直線または曲線要素の第１のセットを有する第１の印刷版を提供するステップと、
−第２の色Ｃ２でインキ付けされる第２の印刷パターンを形成する、直線または曲線要素の第２のセットを有する第２の印刷版を提供するステップであって、第２の印刷パターンは、第１の印刷版の第１の印刷パターンと見当を合わせて印刷できるように第２の印刷版上に提供される、ステップと、
−第１の印刷版を第１の色Ｃ１で、第２の印刷版を第２の色Ｃ２でインキ付けするステップと、
−第１および第２の印刷パターンにそれぞれ対応する第１および第２の印刷パターンＰ１、Ｐ２を基板に製造するために、第１および第２の印刷版によって基板を印刷するステップであって、直線または曲線要素の第１および第２のセットが印刷セキュリティ要素の色勾配領域Ａにおいて部分的に重ね合わせられ、または並置され、それによってレインボー機能を生成するように、第１および第２の印刷パターンＰ１、Ｐ２が見当を合わせて印刷される、ステップと、を具える。
【００４２】
本発明の方法によれば、上記のとおり、少なくとも第１または第２の印刷パターンＰ１、Ｐ２が、他方の印刷パターンＰ２、Ｐ１と重ね合わせられる、または並置されるときに、第１の色Ｃ１から第２の色Ｃ２への漸進的な移行を生じさせるように、色勾配領域Ａにおいて線幅または線構造の変調を示す。
【００４３】
第２の印刷パターンＰ２が第１の印刷パターンＰ１の上部に印刷され、第２の色Ｃ２が第１の色Ｃ１よりも濃くなるように選択される。
【００４４】
印刷セキュリティ要素は、第１の印刷パターンＰ１と第２の印刷パターンＰ２との間で所望の見当合わせ精度を達成することができる、任意の適切な印刷装置で製造することができる。そのような印刷装置は図４に示され、そこでは、紙幣の生産に一般的に使用されるセキュリティ文書の用紙の同時両面印刷用の周知の枚葉オフセット印刷機を示し、その印刷機は全体的に参照番号１００で示される。そのような印刷機は、特に、本出願人により、Ｓｕｐｅｒ  Ｓｉｍｕｌｔａｎ（登録商標）ＩＶという製品名称の下で販売されている。この印刷機の基本構成は、国際（ＰＣＴ）公開公報ＷＯ２００７／１０５０５９Ａ１号に既に記載されている。
【００４５】
適切な印刷機１００は、少なくとも１つのブランケット胴１１０、１２０を有するオフセット印刷群１０１を具え、ブランケット胴１１０、１２０の円周部分の周囲に配置された少なくとも２つ、例えば４つの版胴１１５および１２５からそれぞれの色の異なるインクパターンを受け取り、収集する。対応する印刷版を担持するこれらの版胴１１５および１２５は、それぞれ対応するインキ装置１１６および１２６によってインキ付けされる。印刷用のブランケット胴１１０、１２０は、圧胴１２０、１１０と協働する。例えば、上記のＳｕｐｅｒ  Ｓｉｍｕｌｔａｎ（登録商標）ＩＶのような有利な形態では、オフセット印刷群１０１は具体的に、用紙の同時両面オフセット印刷を実行するように適合され、当該技術分野で明らかなように、２つのブランケット胴（または圧胴）１１０、１２０を含み、それらは矢印で示す方向に回転し、その間に用紙が送られて多色刷りを受ける。この例において、ブランケット胴１１０、１２０は、参照番号１５０で示す一対のサイドフレーム間に支持される３セグメント胴である。ブランケット胴１１０、１２０は、ブランケット胴１１０、１２０の円周の一部の周囲に配置された版胴１１５、１２０（両側に４つ）からそれぞれの色の異なるインクパターンを受け取り、収集する。それぞれ対応する印刷版を担持するこれらの版胴１１５および１２５は、対応するインキ装置１１６、１２６によってインキ付けされる。インキ装置１１６、１２６の２つの群は、有利には２つのインキキャリッジ１５１、１５２に配置され、それらのインキキャリッジは、中心に位置する版胴１１５、１２５およびブランケット胴１１０、１２０に向けて、またはそれらから離れて移動することができる。
【００４６】
当技術分野で周知のとおり、各印刷版は、対応する版胴１１５、１２５の周囲に巻き付けられ、その前端および後端で適切な版クランプシステムによって固定され、その版クランプシステムは、版胴の対応する胴ピットに配置される（例えば、国際（ＰＣＴ）公開番号ＷＯ２０１３／００１５１８Ａ１号、ＷＯ２０１３／００１００９Ａ１号、およびＷＯ２０１３／００１０１０Ａ２号を参照）。
【００４７】
用紙は、印刷群１０１の横に位置する（フィーダとフィーダテーブルとを含む）給紙群１０２（図４の右側）から、ブランケット胴１１０、１２０の上流に配置された一連の転写胴１０３ａ、１０３ｂ、１０３ｃ（本例における３つの胴）に給紙される。用紙は、転写胴１０３ｂにより搬送されながら、米国特許第６，１０１，９３９号および国際（ＰＣＴ）公開番号ＷＯ２００７／０４２９１９Ａ２号に記載のように、更なる印刷群（図示せず）を使用して用紙の片面に第１の刷りを任意選択的に受けることができ、転写胴１０３ｂは、そのような場合に圧胴の更なる機能を満たす。用紙が任意選択の更なる印刷群によって印刷される場合、同時両面印刷のために用紙をブランケット胴１１０、１２０に移す前に、乾燥または硬化ユニット１０４によってまず乾燥させる。
【００４８】
図４の例において、用紙がブランケット胴１２０の表面に移され、そこでブランケット胴１２０の各セグメント間の胴ピットに位置する適切なグリッパ手段によって、各用紙の前縁が保持される。そのようにして、各用紙が、ブランケット胴１２０により、ブランケット胴１１０と１２０との間の印刷ニップに移送され、そこで同時両面印刷が行われる。両面に印刷されると、印刷された用紙は、当技術分野で周知のとおり、複数の排紙パイルユニットを一般的に含む用紙排紙ステーション（図示せず）への排紙のため、チェーングリッパーシステム１６０に移される。
【００４９】
本発明の印刷セキュリティ要素は、上記の必要な第１および第２の印刷版を提供することにより製造することができ、その印刷版は、関連する版胴１１５または１２５のいずれかに、図４の参照符号ＰＰ１およびＰＰ２で示される。
【００５０】
上述の実施形態に対して様々な修正および／または改良を行うことができる。特に、既に述べたように、開示された実施形態は、第１および第２の印刷パターンＰ１、Ｐ２を部分的に重ね合わせたことに関連して説明されたが、第１および第２の印刷パターンの部分的な並置によって同様の結果を達成することができる。
【００５１】
さらに、より複雑なレインボー機能を生成するために３色以上を使用することが考えられ、特許請求の範囲が２色のみ使用することに限定されると解釈されるべきではない。
【符号の説明】
【００５２】
本明細書において使用される参照符号のリスト
１０    印刷刷セキュリティ要素（図１および１Ａ乃至１Ｃの第１の実施形態）
１０＊   印刷セキュリティ要素（図２および２Ａ乃至２Ｃの第２の実施形態）
１０＊＊  印刷刷セキュリティ要素（図３の第３の実施形態）
１５    第１の色Ｃ１から第２の色Ｃ２への漸進的な移行を少なくとも部分的に示す、印刷セキュリティ要素１０のレインボー機能（図１および１Ａ乃至１Ｃの第１の実施形態）
１５＊  第１の色Ｃ１から第２の色Ｃ２への漸進的な移行を少なくとも部分的に示す、印刷セキュリティ要素１０＊のレインボー機能（図２および２Ａ乃至２Ｃの第２の実施形態）
１５＊＊   第１の色Ｃ１から第２の色Ｃ２への漸進的な移行を少なくとも部分的に示す、印刷セキュリティ要素１０＊＊のレインボー機能（図３の第３の実施形態）
Ｃ１    レインボー機能１５、１５＊、１５＊＊の第１の色
Ｃ２    レインボー機能１５、１５＊、１５＊＊の第２の色
Ｐ１    レインボー機能１５、１５＊、１５＊＊の部分を形成する第１の印刷パターン
Ｐ２    レインボー機能１５、１５＊、１５＊＊の別の部分を形成する第２の印刷パターン
Ａ      レインボー機能１５、１５＊、１５＊＊が広がり、第１および第２の印刷パターンＰ１、Ｐ２が部分的に重ね合わせられる、または並置される色勾配領域
２０    印刷セキュリティ要素１０の第１のパターンＰ１の部分を形成する、直線または曲線要素の第１のセット（図１および１Ａ乃至１Ｃの第１の実施形態）
３０    印刷セキュリティ要素１０の第２のパターンＰ２の部分を形成する、直線または曲線要素の第２のセット（図１および１Ａ乃至１Ｃの第１の実施形態）
２０＊    印刷セキュリティ要素１０＊の第１のパターンＰ１の部分を形成する、直線または曲線要素の第１のセット（図２および２Ａ乃至２Ｃの第２の実施形態）を
３０＊    印刷セキュリティ要素１０＊の第２のパターンＰ２の部分を形成する、直線または曲線要素の第２のセット（図２および２Ａ乃至２Ｃの第２の実施形態）
Ｔ      レインボー機能１５＊＊＊の漸進的な移行と対照を成す、第１の色Ｃ１から第２の色Ｃ２への急峻かつ非漸進的な移行（図３の第３の実施形態）
１００    同時両面（「Ｓｉｍｕｌｔａｎ」）オフセット印刷機
１０１    印刷機１００の印刷群
１０２    印刷機１００の給紙群
１０３ａ  シート転写胴（１セグメント胴）
１０３ｂ  シート転写胴（２セグメント胴）
１０３ｃ  シート転写胴（１セグメント胴）
１０４    乾燥/硬化ユニット
１１０    （第１の）ブランケット胴（３セグメント胴）
１１５    （４つの）版胴（１セグメント胴）
１１６    版胴１１５にインキを供給する（４つの）インキ装置 
１２０    （第２の）ブランケット胴（３セグメント胴）
１２５    （４つの）版胴（１セグメント胴）
１２６    インキを版胴１２５に供給する（４つの）インキ装置
１５０    ブランケット胴１１０、１２０を支持する一対のサイドフレーム
１５１    インキ装置１１６を支持する（第１の）移動式インキキャリッジ
１５２    インキ装置１２６を支持する（第２の）移動式インキキャリッジ
１６０    （間隔を空けたグリッパーバーを有する）シート搬送システム
ＰＰ１    第１の印刷パターンＰ１に対応する第１の印刷パターンを有する第１の印刷版
ＰＰ２    第２の印刷パターンＰ２に対応する第２の印刷パターンを有する第２の印刷版
【図１】
2021503387.tif 000003
【図１Ａ】
2021503387.tif 000004
【図１Ｂ】
2021503387.tif 000005
【図１Ｃ】
2021503387.tif 000006
【図２】
2021503387.tif 000007
【図２Ａ】
2021503387.tif 000008
【図２Ｂ】
2021503387.tif 000009
【図２Ｃ】
2021503387.tif 000010
【図３】
2021503387.tif 000011
【図４】
2021503387.tif 000012
【国際調査報告】
2021503387.tif 000013
2021503387.tif 000014
2021503387.tif 000015